(57)【要約】      （修正有）【課題】外観および使用感に優れる複合型不織布ワイパーを提供する。【解決手段】スパンボンド不織布上にパルプ繊維ウエブを積層した複合型不織布ワイパーであって、スパンボンド不織布ＳＷは複数の融着点ＭＰを含んで形成され、不織布の流れ方向ＭＤに対して平行である縦方向ラインＬＬ上および流れ方向に対して直角である横方向ラインＴＬ上のぞれぞれで、直線を成し同じ間隔として複数の融着点ＭＰが配置され、縦方向ライン上と横方向ライン上とにおける間隔は、更に互いに同じ長さとなるように設定され、ライン上で互いに隣接している融着点同士の重心間の第１距離ＦＤと、斜め方向において隣接している融着点同士の重心間の第２距離ＳＤとが、異なるようにして融着点ＭＰが配置され、融着点の面積が０．１０〜０．５０ｍｍ２、融着点の面積率が７〜２０％、第１距離と第２距離との短い方の距離が０．７０〜１．８０ｍｍに設定された複合型不織布ワイパー。【選択図】図１
2020084385.tif 000002
【特許請求の範囲】
【請求項１】
スパンボンド不織布上にパルプ繊維ウエブを積層し一体化してある複合型の不織布ワイパーであって、
前記スパンボンド不織布は、紡糸された樹脂繊維を接続する複数の融着点を含んで形成されており、
前記スパンボンド不織布の流れ方向に対して平行である複数の縦方向ライン上および前記流れ方向に対して直角である複数の横方向ライン上のぞれぞれで、直線を成し同じ間隔として前記複数の融着点が配置され、
上記縦方向ライン上と前記横方向ライン上とにおける前記間隔は、更に互いに同じ長さとなるように設定されており、
上記縦方向ラインおよび横方向ライン上で互いに隣接している前記融着点同士の重心間の距離である第１距離と、斜め方向において互いに隣接している前記融着点同士の重心間の距離である第２距離とが、異なるようにして前記融着点が配置されており、
前記融着点１個の面積が０．１０〜０．５０ｍｍ２であり、且つ、当該融着点の面積率が７〜２０％に設定され、
前記第１距離と前記第２距離とのいずれか短い方の距離が０．７０〜１．８０ｍｍに設定されている、ことを特徴とする複合型不織布ワイパー。
【請求項２】
前記第１距離が前記第２距離よりも短い、ことを特徴とする請求項１に記載の複合型不織布ワイパー。
【請求項３】
前記第１距離が前記第２距離よりも長い、ことを特徴とする請求項１に記載の複合型不織布ワイパー。
【請求項４】
スパンボンド不織布上にパルプ繊維ウエブを積層し一体化してある複合型の不織布ワイパーであって、
前記スパンボンド不織布は、紡糸された樹脂繊維を接続する複数の融着点を含んで形成されており、
前記スパンボンド不織布の流れ方向に対して平行である複数の縦方向ライン上および前記流れ方向に対して直角である複数の横方向ライン上のぞれぞれで、直線を成し同じ間隔として前記複数の融着点が配置され、
上記縦方向ライン上と前記横方向ライン上とにおける前記間隔については、互いに異なる長さとなるように設定されており、
上記縦方向ライン上で互いに隣接している前記融着点同士の重心間の距離である第１距離と、上記横方向ライン上で互いに隣接している前記融着点同士の重心間の距離である第２距離と、斜め方向において互いに隣接している前記融着点同士の重心間の距離である第３距離とを含み、
前記第１距離または前記第２距離と、前記第３距離が同じとなるようにして前記融着点が配置されており、
前記融着点１個の面積が０．１０〜０．５０ｍｍ２であり、且つ、当該融着点の面積率が７〜２０％に設定され、
前記第１距離と前記第２距離とのいずれか短い方の距離が０．７０〜１．８０ｍｍに設定されている、ことを特徴とする複合型不織布ワイパー。
【請求項５】
前記融着点の形状は、円形状、楕円形状および多角形形状からなる群から選択された１つである、ことを特徴とする請求項１から４のいずれかに記載の複合型不織布ワイパー。
【請求項６】
前記融着点同士の最短間隔が０．５０〜１．２０ｍｍに設定されている、ことを特徴とする請求項１から５のいずれかに記載の複合型不織布ワイパー。
【請求項７】
前記融着点の個数が１０〜１５０個／ｃｍ２である、ことを特徴とする請求項１から６のいずれかに記載の複合型不織布ワイパー。
【請求項８】
前記スパンボンド不織布を構成する繊維の繊維径が０．６〜５．６デシテックスである、こと特徴とする請求項１から７のいずれかに記載の複合型不織布ワイパー。
【請求項９】
前記スパンボンド不織布と前記パルプ繊維ウエブとの重量構成比であるスパンボンド不織布／パルプ繊維ウエブは、４０／６０〜１０／９０（ｗｔ％）である、こと特徴とする請求項１から８のいずれかに記載の複合型不織布ワイパー。
【請求項１０】
前記パルプ繊維ウエブの坪量は３０〜７０ｇ／ｍ２である、こと特徴とする請求項１から９のいずれかに記載の複合型不織布ワイパー。
【請求項１１】
請求項１から１０のいずれかに記載の複合型不織布ワイパーを製造する方法であって、
前記スパンボンド不織布と前記パルプ繊維ウエブとを水流交絡処理する水流交絡工程を少なくも含み、
前記水流交絡工程でウォータジェットを噴射するウォータジェットノズルの穴直径φが０．０６〜０．１５ｍｍであり、且つ前記ウォータジェットノズルの間隔が０．４〜１．０ｍｍである、こと特徴とする複合型不織布ワイパーの製造方法。
【発明の詳細な説明】
【技術分野】
【０００１】
本発明は、パルプ繊維ウエブとスパンボンド不織布とを水流交絡させることによって得られる複合型の不織布ワイパーに関する。
【背景技術】
【０００２】
パルプ繊維ウエブとスパンボンド不織布とを含む複合型不織布によるワイパーは、パルプ繊維に基づく吸液性とスパンボンド不織布に基づく強度との両方を具備してなる不織布となるので、ウエスなどの工業用ワイパー、或いは手ぬぐい、タオルなどの対人用のワイパーとして、様々な用途で広く使用されている。
【０００３】
例えば、特許文献１で開示するように、パルプ繊維ウエブとスパンボンド不織布とを重ねた後に、高圧のウォータジェット（水流）を吹き付ける水流交絡処理によって一体化されている。ここでスパンボンド不織布は強度に優れるので製造された複合型不織布ワイパーの裏打ち層的な機能を果たす。一方、パルプ繊維ウエブは優れた吸液機能を備えている。よって、このような複合型不織布ワイパーは、水性、油性のいずれの液体に対しても吸収性が良好なパルプ繊維ウエブと、強度に優れるスパンボンド不織布との利点を併有している優れたワイパーとして消費者に提供することができる。
【先行技術文献】
【特許文献】
【０００４】
【特許文献１】特許第２５３３２６０号公報
【発明の概要】
【発明が解決しようとする課題】
【０００５】
上記特許文献１などで使用されているスパンボンド不織布（特許文献１では、不織連続フィラメント支持体と称している）については、例えばポリプロピレンなどの合成樹脂をスパンボンド処理して得たものが広く採用されている。スパンボンド処理では、紡糸された樹脂繊維同士を点状の融着部分（以下、融着点）によって複数の箇所で接続している。これにより、スパンボンド不織布はシート強度を発現させ外形を維持している。
【０００６】
上記融着点は、樹脂繊維が溶融固化した部分であり、スパンボンド不織布の強度を得るために重要な構成部である。しかし、上述したようにスパンボンド不織布とパルプ繊維ウエブとを水流交絡させることにより得られる複合型の不織布ワイパーでは以下で指摘するような改善点がある。
強度が適度にあり（丈夫で）、使用時に繊維脱落が少なく、また拭き取り性に優れた使用感の良好な複合不織布を得るためには、隣り合う融着点の間隔を短くし（単位面積当たりの融着点数を増やし）、面積率の大きいスパンボンド不織布を用いることが考えられる。しかし、水流交絡処理により複合型の不織布ワイパーを製造する場合、スパンボンド不織布の融着点へのパルプ繊維の交絡が不十分になり易い（融着点にはパルプ繊維が絡み難い）。よって、スパンボンド不織布の融着点の１つの面積が大きい程に、パルプ繊維交絡が不十分な部分が、小穴のように見えるので、完成したワイパーの外観（面感とも称され、不織布表面の見ため）が劣ることになる。その一方で、融着点の１つの面積が小さいと製造時にスパンボンド不織布に伸びが生じ易く、また寸法安定性に劣るので使用感も低下してしまう。
そして、融着点の単位面積当たりの面積率を変えないよう、１つ１つの融着点の面積を大きくし、隣り合う融着点の間隔を長く設計することも考えられる。しかし、スパンボンド不織布は、融着点やその近傍は強度が高いので寸法安定性が高く、これに対して融着点から遠い非融着領域では寸法安定性が相対的に低いという傾向がある。よって、融着点の間隔が長くなると寸法安定性の悪い領域が拡大し、また使用時において繊維脱落が増加して使用感も劣化してしまう。
【０００７】
そして更に、ワイパーに対しては、水、油等を確実に拭き取ることができる吸液性について強い要請があるので、十分なパルプ繊維ウエブを含んでいる複合型不織布ワイパーに設計されていることが望ましい。
上述したように、スパンボンド不織布とパルプ繊維ウエブとによる複合型不織布ワイパーでは、複数の構成要素が複雑に影響し合っているので、従来にあっては外観および使用感が共に優れるワイパーを設計することが困難であった。
【０００８】
よって、本発明の目的は、優れた外観および使用感が両立した新規な複合型不織布ワイパーを提供することにある。
【課題を解決するための手段】
【０００９】
上記目的は、スパンボンド不織布上にパルプ繊維ウエブを積層し一体化してある複合型の不織布ワイパーであって、
前記スパンボンド不織布は、紡糸された樹脂繊維を接続する複数の融着点を含んで形成されており、
前記スパンボンド不織布の流れ方向に対して平行である複数の縦方向ライン上および前記流れ方向に対して直角である複数の横方向ライン上のぞれぞれで、直線を成し同じ間隔として前記複数の融着点が配置され、
上記縦方向ライン上と前記横方向ライン上とにおける前記間隔は、更に互いに同じ長さとなるように設定されており、
上記縦方向ラインおよび横方向ライン上で互いに隣接している前記融着点同士の重心間の距離である第１距離と、斜め方向において互いに隣接している前記融着点同士の重心間の距離である第２距離とが、異なるようにして前記融着点が配置されており、
前記融着点１個の面積が０．１０〜０．５０ｍｍ２であり、且つ、当該融着点の面積率が７〜２０％に設定され、
前記第１距離と前記第２距離とのいずれか短い方の距離が０．７０〜１．８０ｍｍに設定されている、ことを特徴とする複合型不織布ワイパーにより達成できる。
【００１０】
ここで、前記第１距離が前記第２距離よりも短いものとしてもよい。
また、前記第１距離が前記第２距離よりも長いものとしてもよい。
【００１１】
また上記目的は、スパンボンド不織布上にパルプ繊維ウエブを積層し一体化してある複合型の不織布ワイパーであって、
前記スパンボンド不織布は、紡糸された樹脂繊維を接続する複数の融着点を含んで形成されており、
前記スパンボンド不織布の流れ方向に対して平行である複数の縦方向ライン上および前記流れ方向に対して直角である複数の横方向ライン上のぞれぞれで、直線を成し同じ間隔として前記複数の融着点が配置され、
上記縦方向ライン上と前記横方向ライン上とにおける前記間隔については、互いに異なる長さとなるように設定されており、
上記縦方向ライン上で互いに隣接している前記融着点同士の重心間の距離である第１距離と、上記横方向ライン上で互いに隣接している前記融着点同士の重心間の距離である第２距離と、斜め方向において互いに隣接している前記融着点同士の重心間の距離である第３距離とを含み、
前記第１距離または前記第２距離と、前記第３距離が同じとなるようにして前記融着点が配置されており、
前記融着点１個の面積が０．１０〜０．５０ｍｍ２であり、且つ、当該融着点の面積率が７〜２０％に設定され、
前記第１距離と前記第２距離とのいずれか短い方の距離が０．７０〜１．８０ｍｍに設定されている、ことを特徴とする複合型不織布ワイパーによっても達成される。
【００１２】
そして、前記融着点の形状は、円形状、楕円形状および多角形形状からなる群から選択された１つとすることができる。
【００１３】
前記融着点同士の最短間隔が０．５０〜１．２０ｍｍに設定されているのが好ましい。
【００１４】
また、前記融着点の個数が１０〜１５０個／ｃｍ２とするのが好ましい。
また、前記スパンボンド不織布を構成する繊維の繊維径が０．６〜５．６デシテックスであるのが好ましい。
また、前記スパンボンド不織布と前記パルプ繊維ウエブとの重量構成比であるスパンボンド不織布／パルプ繊維ウエブは、４０／６０〜１０／９０（ｗｔ％）であるのが好ましい。
そして、前記パルプ繊維ウエブの坪量は３０〜７０ｇ／ｍ２であるのが好ましい。
【００１５】
上記目的は、上記いずれかに記載の複合型不織布ワイパーを製造する方法であって、
前記スパンボンド不織布と前記パルプ繊維ウエブとを水流交絡処理する水流交絡工程を少なくも含み、
前記水流交絡工程でウォータジェットを噴射するウォータジェットノズルの穴直径φが０．０６〜０．１５ｍｍであり、且つ前記ウォータジェットノズルの間隔が０．４〜１．０ｍｍである、こと特徴とする複合型不織布ワイパーの製造方法によっても達成される。
【発明の効果】
【００１６】
本発明によると、外観および使用感に優れる複合型不織布ワイパーを提供できる。
【図面の簡単な説明】
【００１７】
【図１】本発明に係る複合型不織布ワイパーに用いるスパンボンド不織布における融着点の配置パターンを説明するために模式的に示した図であり、（ａ）は完全整列タイプの配置パターン図、（ｂ）は市松模様タイプの配置パターン図である。
【図２】融着点の形状を楕円形状とした場合について、図１と同様に示した図である。
【図３】本発明に係る複合型不織布ワイパーに用いるスパンボンド不織布における融着点の他の配置パターンを説明するために模式的に示した図であり、（ａ）は第１の正六角形タイプの配置パターン図、（ｂ）は第２の正六角形タイプの配置パターン図である。
【図４】本発明に係る複合型不織布ワイパーの製造装置について示した図である。
【発明を実施するための形態】
【００１８】
以下、本発明の一実施形態に係る複合型の不織布ワイパーについて、図を参照して説明する。本発明による複合型不織布ワイパーは、スパンボンド不織布上にパルプ繊維ウエブを積層し、一体化された不織布である。採用するスパンボンド不織布が特徴的な構成を備えているので、図１を参照して、先ずこの点の構成について説明する。
【００１９】
本発明者は、上記した融着点による問題を詳細に検討し、スパンボンド不織布ＳＷに形成する融着点ＭＰの配置パターンや性状を所定範囲に設計することで、外観および使用感に優れた複合型不織布を得られることを確認して本発明に至ったものである。
図１（ａ）及び（ｂ）は、本発明に係る複合型の不織布ワイパーで用いるスパンボンド不織布が満すのが好ましい、融着点の配置パターン例を説明するために拡大して示した模式図である。
図１では、スパンボンド不織布ＳＷのスパンボンド製造時の流れ方向（搬送方向）ＭＤと、この流れ方向ＭＤに対して直角な幅方向ＣＤを示してある。また複数の符号ＭＰは、個々の融着点を示している。ここでは、本発明ポイントの理解を容易とするため、説明便宜上、図１（ａ）のスパンボンド不織布をＳＷ−１そしてその融着点をＭＰ−１、また図１（ｂ）のスパンボンド不織布をＳＷ−２そしてその融着点をＭＰ−２として区別して図示している。
【００２０】
図１（ａ）及び（ｂ）で示すように、スパンボンド不織布ＳＷ（ＳＷ-１、ＳＷ-２）上のいずれの融着点ＭＰ−１、融着点ＭＰ−２も、流れ方向ＭＤに対して平行である複数の縦方向ラインＬＬ及び幅方向ＣＤに対して平行である複数の横方向ラインＴＬ上のぞれぞれで、直線を成し同じ間隔で融着点ＭＰ（ＭＰ−１とＭＰ−２のいずれに関しても）が配置されている。しかも、縦方向ラインＬＬ及び幅方向ＣＤにおける、間隔（縦方向ラインＬＬ及び横方向ラインＴＬにおいて隣接している融着点間の距離）は互いに同じ長さとなっている。
図１（ａ）及び（ｂ）に示すいずれの融着点の配置パターンも、線対称性および点対称性を有し、平面全体に亘り均一に複数の融着点ＭＰが配置されているという点で共通しており、このような融着点配置パターンを有するスパンボンド不織布を用いて、複合型不織布を形成してあることが本発明の特徴の１つとなっている。
更に図１（ａ）、（ｂ）で示しているそれぞれのパターンについてより詳細に説明する。
【００２１】
図１（ａ）で示す配置パターンは、融着点ＭＰが縦および横方向で列がずれること無く完全に整列している完全整列タイプの配置パターンであり、例えば１つの融着点ＭＰ−１ａに着目すると、その上下、左右に隣接する４つの融着点ＭＰ−１とは第１の距離ＦＤを持って配置されている。ここでの距離は、所定の形状に設計される融着点（例示しているのは円形形状）の重心間の距離である。
【００２２】
更に、融着点ＭＰ−１ａの斜め４方向ＡＤにおいて隣接する４つの融着点ＭＰ−１に着目すると、融着点ＭＰ−１ａと融着点ＭＰ−１とは第２の距離ＳＤを持って配置されている。
図１（ａ）で示す完全整列タイプの配置パターンでは第１の距離ＦＤが第２の距離ＳＤよりも短いという特徴をもって特定されることになる。
【００２３】
次に、上記図１（ａ）の完全整列タイプの配置パターンに対して、図１（ｂ）で示す融着点配置パターンは、直前、直後の融着点ＭＰの位置が半距離分ずれた状態にして整列された市松模様タイプの配置パターンである。図１（ａ）の場合と同様に、１つの融着点ＭＰ−２ａに着目し、その上下、左右に隣接する４つの融着点ＭＰ−２との距離を第１の距離ＦＤとし、また融着点ＭＰ−２ａの斜め４方向ＡＤにおいて隣接する４つの融着点ＭＰ−２との距離を第２の距離ＳＤとする。図１（ｂ）で示す市松模様タイプの配置パターンでは、第１の距離ＦＤが第２の距離ＳＤよりも長いという特徴をもって特定されることになる。
【００２４】
本発明に係る複合型不織布ワイパーでは、一例として示した、図１（ａ）の完全整列タイプまたは図１（ｂ）の市松模様タイプの配置パターンに基づいて融着点が配置されているスパンボンドＳＷを好適に用いていることができる。
そして、前記融着点ＭＰ、１個の面積が０．１０〜０．５０ｍｍ２であり、且つ、当該融着点の面積率が７〜２０％に設定されており、更に、前記第１距離ＦＤと前記第２距離ＳＤとで短い方の距離が０．７０〜１．８０ｍｍに設定されていること、即ち図１（ａ）の完全整列型の場合は第１距離ＦＤが０．７０〜１．８０ｍｍ、また図１（ｂ）の市松模様型の場合は第２距離ＳＤが０．７０〜１．８０ｍｍに設定してあるとスパンボンド不織布ＳＷとされている。
上記条件を満たすスパンボンド不織布ＳＷを用い、水流交絡により複合型不織布を形成すると、外観および使用感に優れる複合型不織布ワイパーを得ることができる。
【００２５】
ところで、スパンボンド不織布について、紡糸された樹脂繊維同士を留めるため、熱エンボス装置等の加熱装置を用いて、樹脂繊維の一部をスポット的に加熱溶融した後に固化させた部分が上述した融着点である。本発明で用いるスパンボンド不織布ＳＷにおける融着点については上述した様に好ましい配置が規定され、その形状についても好ましい形状がある。
しかながら、実際に製造されたスパンボンド不織布に配置された融着点の様子を微視的に観察すると、予定した位置から若干ずれた位置に融着点が確認される場合もある。そこで、上述した短い方の距離（図１（ａ）の完全整列タイプでは第１の距離ＦＤ、図１（ｂ）の市松模様タイプでは第２の距離ＳＤ）を次にように算出するのが好ましい。例えば隣接する融着点に欠損がない融着点２５個について、その周囲の融着点４か所との距離（合計１００か所）を測定し、その１００か所中での最大値と最小値との誤差範囲が例えば０．３０ｍｍ以下に収まっている場合に、上述した完全整列型あるいは市松模様型の配置パターンとなっていると見なす。そして、上記１００か所の平均値が０．７０〜１．８０ｍｍであることをスパンボンド不織布の条件とする。
また、使用する加熱装置によっては予定した融着点形状（例えば、円形形状）とは異なる欠損、一部欠けが生じた形状（例えば三日月形状）の融着点が確認される場合もある。そこで、例えば単位面積で隣り合う融着点１００個（単位面積はスパンボンド不織布毎に変動する）を観察し、７割以上が予定した正規の形状であることを更なる条件とするのが好ましい。
上記のような条件を満たすスパンボンド不織布は全体の外観として（視覚的に見て）、完全整列型或いは市松模様型の配置パターンと認めることができ、融着点が設計した適正な形状を有しているスパンボンド不織布と見なすことができる。
【００２６】
図２は融着点ＭＰの形状を図１に示した円形形状から楕円形状に変更した場合を示しており、図２（ａ）は図１（ａ）に対応した完全整列タイプの配置パターン、図２（ｂ）は図１（ｂ）に対応した市松模様タイプの配置パターンである。
図２に示すように融着点ＭＰの形状を楕円形状に変更しても、円形形状の場合と同様の効果を期待できる。楕円形状の場合には重心（図形中心）の周りに回転することで楕円の姿勢が変化する（図２では楕円形状の長軸が約３０度傾いた状態を示している）が、図１と同様に中心間の距離が一定であれば、融着点ＭＰの傾き（回転角）の影響は無視することができる。
図２では、融着点ＭＰの形状を楕円形状とした場合を例示したが、他に正方形形状、五角形、六角形、星形形状等の多角形形状に形成してもよい。
【００２７】
更に、図３を参照して、スパンボンド不織布に採用できる、融着点の配置パターンの他の例について説明する。図３は、図１と同様に示した、融着点の配置パターンの他の例を説明するために拡大して示した模式図である。
図３で示す配置パターンは、図１（ｂ）で示している市松模様タイプの配置パターンの変形例の一種と見ることができる。すなわち、直前、直後の融着点ＭＰの位置ＭＰが半距離分ずれた状態にある。
【００２８】
しかし、その一方で、図３（ａ）見ると、縦方向ラインＬＬ上と前記横方向ラインＴＬ上とにおける、隣接する融着点の間隔については、互いに異なる長さに設定されている。より具体的には、例えば１つの融着点ＭＰ−３ａに着目すると、縦方向ラインＬＬでの第１の距離ＦＤと、横方向ラインＴＬでの第２の距離ＳＤとの長さが異なっている。より詳細には第１の距離ＦＤが第２の距離ＳＤよりも短い。
そして、融着点ＭＰ−３ａの斜め４方向ＡＤにおいて隣接する４つの融着点ＭＰ−３に着目すると、融着点ＭＰ−３ａと融着点ＭＰ−３とは第３の距離ＴＤを持って配置されている。そして、ここでは短い方の第１の距離ＦＤと第３の距離ＴＤとが同じ距離となっている。
このような条件を満たす配置パターンは、図３（ａ）中において破線で示すように、融着点ＭＰ−３ａを中心として、短い距離にある周囲の融着点６個が等しい中心角とされた第１の正六角形状タイプの配置パターンとなる。
【００２９】
そして、図３（ｂ）は、図３（ａ）と第１の距離ＦＤおよび第２の距離ＳＤの長短関係が逆の場合を例示している。具体的には、図３（ｂ）は第２の距離ＳＤが第１の距離ＦＤがより短い、第２の正六角形タイプの配置パターン図を示している。
融着点ＭＰ−４ａの斜め４方向ＡＤにおいて隣接する４つの融着点ＭＰ−４に着目すると、融着点ＭＰ−４ａと融着点ＭＰ−４とは第３の距離ＴＤを持って配置されている。そして、ここでは短い方の第２の距離ＳＤと第３の距離ＴＤとが同じ距離となっている。
このような条件を満たす配置パターンも、図３（ｂ）中において破線で示すように、融着点ＭＰ−４ａを中心として、短い距離にある周囲の融着点６個が等しい中心角とされた正六角形状を形成するように融着点が配置されている。
図３（ｂ）で示される正六角形状は、図３（ａ）に示される正六角形状を９０度回転させた図形に等しい。
【００３０】
なお、図３で示す正六角型のパターン配置の場合、ある１つの融着点ＭＰに対して、周囲に接近した短い距離にある６点が存在している。
前述したように、融着点間の距離の特定条件に関して、図１で例示した配置の場合は例えば融着点２５個について、接近した短い距離にある融着点４か所との距離（合計１００か所）の距離を測定し、距離１００点間の最大値−最小値の値（誤差範囲）が０．３０ｍｍ以下に収まっていることを条件とした。
これに対して図３で例示している配置の場合は、接近した短い距離にある融着点６か所との距離（合計１５０か所）の距離を測定し、距離１５０点間の最大値−最小値の値（誤差範囲）が０．３０ｍｍ以下に収まっていることを条件とするのが好ましい。
【００３１】
融着点ＭＰ−３、ＭＰ−４に関する他の条件は、前述した融着点ＭＰ−１、ＭＰ−２と同様でよい。上記条件を満たすスパンボンド不織布ＳＷ−３、ＳＷ−４を用い、水流交絡により複合型不織布を形成すると、外観および使用感に優れる複合型不織布ワイパーを同様に得ることができる。
【００３２】
更に以下において、上記融着点ＭＰに関して、好ましい条件について説明する。
上記融着点ＭＰについて、互いに最接近している融着点ＭＰの最短間隔（一方の融着点ＭＰの表面から隣接する他方の融着点ＭＰの表面までの距離）が０．５０〜１．２０ｍｍに設定されているのが好ましい。
そして、融着点は単位面積当たり、１０〜１５０個／ｃｍ２とするのが好ましい。
【００３３】
本発明の複合型不織布ワイパーでは、上記で説明した条件を満たすスパンボンド不織布の上に、パルプ繊維ウエブを積層して一体化されている。そして、本複合型不織布ワイパーで使用されているパルプ繊維ウエブについては、坪量が３０〜７０ｇ／ｍ２に設定されている。これにより本発明の複合型不織布ワイパーは、外観や使用感に優れるだけでなく、十分な吸液性も具備している複合型不織布ワイパーとすることができる。
そして、上記スパンボンド不織布とパルプ繊維ウエブとの重量構成比（スパンボンド不織布／パルプ繊維ウエブ）は４０／６０〜１０/９０（ｗｔ％）とするのが好ましい。
前記スパンボンド不織布を構成する繊維の繊維径は０．６〜５．６デシテックスとするのが更に好ましい。
なお、上記本発明に係る複合型不織布ワイパーでは、例えば、パルプ平均繊維長１．０〜５．０ｍｍであるパルプを用いて、パルプ繊維ウエブを形成するのが好ましい。具体的には、パルプ繊維ウエブをラジアータパイン、スラッシュパイン、サザンパイン、ロッジポールパイン、スプルースおよびダグラスファーからなる群から選択された針葉樹晒クラフトパルプ（ＮＢＫＰ）の繊維を用いて形成するのが好ましい。いずれか１つのパルプ繊維によるパルプ繊維ウエブとしてもよいし、２つ以上を混合して形成したパルプ繊維ウエブとしてもよい。
また、スパンボンド不織布を構成する合成繊維としては、ナイロン、ビニロン、ポリエステル、アクリル、ポリエチレン、ポリプロピレン、ポリスチレン等から選択することができ、ポリプロピレンを用いるのが好ましい。
【００３４】
（実施例）
更に、図１で例示している配置パターンと所定条件に従った融着点が設定されているスパンボンド不織布を用いて製造した実施例１〜５の複合型不織布ワイパーおよびその比較例１〜４について、外観と使用感について下記の基準で評価した。
外観評価：複合型不織布ワイパー表面の小穴（スパンボンド不織布の融着点がむき出し
ている部分）の有無で評価した。
特に優れたもの（優◎）、問題のない外観（良〇）、小穴が目立ち外観不良なもの（不可×）とした。
使用感：１）拭き取り易さ、及び２）繊維脱落の状態から評価した。
１）拭き取り易さ：上記条件のスパンボンド不織布を用いた複合型不織布ワイパーの、拭き取り易さに基づいて評価した。適度に柔らかく拭き取りやすい（優◎）、問題のない拭き取りやすさ（良〇）、強度が弱く破れ易い、または強過ぎて拭き取り難い（不可×）とした。
２）繊維脱落の状態：目視による判断で、繊維の脱落が少ない（良〇）、繊維の脱落が多く、拭き取り後対象物に残る（不可×）とした。
【００３５】
実施例１〜５及び比較例１〜４について、融着点の配置、融着点の１つの面積（ｍｍ２）、面積率（％）、短い方の融着点間距離、そして融着点の形状について、下記表１、表２のように設定してあるスパンボンド不織布を用い、エアレイド装置により製造したパルプ繊維ウエブを載せて複合型不織布ワイパーを製造した。
【００３６】
【表１】
2020084385.tif 000003
【００３７】
【表２】
2020084385.tif 000004
上記表１に示すように、実施例１〜５は製品ワイパーとして提供できるものであるが、表２に示す比較例１〜４では外観評価、使用感の官能評価のいずれかで不可であった。
上記実施例１〜５によると、融着点の配置パターンが完全整列型或いは市松模様型のいずれかであり、そして融着点１個の面積が０．１０〜０．５０ｍｍ２であり、且つ、当該融着点の面積率が７〜２０％、また第１距離ＦＤと前記第２距離ＳＤとのいずれかの短い方の距離が０．７０〜１．８０ｍｍの範囲に設定されている。
なお、融着点の形状を円形、楕円、また正方形、長方形、五角形等の多角形としたが、形状についての有意差は確認されなかった。
なお、図３に例示した融着点の配置パターンが正六角型となる場合についても、上記完全整列型および市松模様型と同様の効果を期待することができる。
【００３８】
以下、更に、上述した本発明に係る複合型不織布ワイパーを製造するのに好適は製造装置について、図を参照して説明する。
先ず、不織布ワイパー製造装置１の概略構成を説明する。図４に示す製造装置１は、上流側にエアレイド装置２、スパンボンド不織布を供給するスパンボンド不織布供給装置３、そしてサクション装置４が配設されている。サクション装置４はエアレイド装置２の下側に対向するように配置されている。
ウエブの搬送方向ＴＤで、これらの装置２、３、４より下流には、上流側から順に、水流交絡処理を行うためのウォータジェットを噴射する水流交絡装置５、サクション装置６、乾燥装置７が配置されている。上記乾燥装置７の下流には連続して製造される複合型不織布ワイパーＷＰを巻き取るための巻取装置８が更に設けてある。
【００３９】
上記エアレイド装置２は、繊維同士が密集しシート状となっている原料パルプＲＰをパルプ繊維に解繊する解繊機２１や、図示しない送風機を備えて解繊されたパルプ繊維ＰＦをエアレイドホッパ２３へと搬送するダクト２２を有している。
【００４０】
また、上記ダクト２２よりも下流側にはエアレイドホッパ２３が配置されている。このエアレイドホッパ２３の内部では、解繊状態にあるパルプ繊維が分散しながら降下し、下面に設定した積層位置２４に徐々に積み上りパルプ繊維ウエブＰＦＷが形成されるように設計してある。
上記積層位置２４の下側にはサクション装置４が対向配備してある。より詳細には、サクション装置４は装置本体４１の上面にサクション部４２を有しており、サクション部４２が上記パルプ繊維ウエブＰＦＷに吸引力（負圧）を作用させるべく積層位置２４に対して設定してある。
なお、図４では、エアレイドホッパ２３とサクション装置本体４１とを１つずつ一段での配置として、パルプ繊維ウエブＰＦＷを形成する場合を例示している。しかし、これに限らず、上記パルプ繊維ウエブＰＦＷの目付（坪量）や製造速度に応じて、上記エアレイドホッパ２３とサクション装置本体４１を２つ以上の多段とする配置に変更してもよい。
【００４１】
また、サクション装置４の周囲にはウエブ搬送用の搬送ワイヤ４３が配設してある。搬送ワイヤ４３は、積層位置２４においてパルプ繊維ＰＦが堆積したパルプ繊維ウエブＰＦＷが載置可能で、これを下流側に搬送するように配置されている。ただし、パルプ繊維ウエブＰＦＷは直接、搬送ワイヤ４３上に載置されない。これについては、後述の説明で明らかとなる。
搬送ワイヤ４３はサクション部４２の吸引力が、反対側（上側）に及ぶような目開き形態（メッシュ）で形成されている。
【００４２】
上記エアレイド装置２の下側で、サクション装置４よりも上流側に、スパンボンド不織布供給装置３が配置してある。このスパンボンド不織布供給装置３には、予め準備されたスパンボンド不織布ＳＷがロール状とされてセットされている。すなわち、前述したように、従来のスパンボンド不織布よりも相対的に面積が小さく、しかも、面積率が所定範囲内にあるという条件を満している融着点により繊維同士が接続されているスパンボンド不織布ＳＷがロール状とされており、これがスパンボンド不織布供給装置３から引出され、上述した搬送ワイヤ４３に乗って上記積層位置２４へと搬送されるようになっている。
また、スパンボンド不織布とパルプ繊維ウエブとの重量構成比である、スパンボンド不織布／前記パルプ繊維ウエブは４０／６０〜１０／９０（ｗｔ％）に調整しておくのが好ましい。
【００４３】
積層位置２４に位置した、スパンボンド不織布ＳＷの上に、前述したパルプ繊維ウエブＰＦＷが載置される。その際に、積層位置２４ではサクション装置４のサクション部４２による吸引力が搬送ワイヤ４３を通過し、その上のスパンボンド不織布ＳＷおよびパルプ繊維ウエブＰＦＷに作用する。よって、スパンボンド不織布ＳＷとパルプ繊維ウエブＰＦＷとが積層された状態となっている予備的積層体ＰＷｅｂ（積層ウエブ）が下流側へと搬送される。
上記のように予備的積層体ＰＷｅｂが形成されるときに、スパンボンド不織布ＳＷ上へのパルプ繊維ウエブＰＦＷの供給量を制御することで、本装置で製造される複合型不織布ワイパーに含まれるパルプ繊維ウエブＰＦＷの坪量が３０〜７０ｇ／ｍ２となるように設計してある。パルプ繊維ウエブＰＦＷの坪量は、ウエブの搬送速度やパルプ繊維ウエブＰＦＷの時間当たりの供給量などを適宜に調整し、製造された複合型不織布ワイパーのパルプ繊維ウエブＰＦＷの坪量を確認することで、坪量が所望の範囲となるように設定すればよい。
【００４４】
上記した予備的積層体ＰＷｅｂは、サクション装置４の吸引力によって、吸引圧縮されたことにより積層状態が維持されている。このとき上側のパルプ繊維ウエブＰＦＷの繊維が密にされた状態ではある。しかし、このまま予備的積層体ＰＷｅｂを下流側の水流交絡装置５内に搬送投入すると、ウォータジェット（高圧の水流）によってパルプ繊維ＰＦの一部が舞い上がるおそれがある。
そこで、本製造装置１では、予備的積層体ＰＷｅｂを上下から挟んでスパンボンド不織布ＳＷ上でのパルプ繊維ウエブＰＦＷの載置状態を安定化させる為の挟持ローラ２８、そして水流交絡装置５の上流側に繊維飛散防止用に水分を付与するプレウエット装置３０が配備してある。プレウエット装置３０は、好適には、予備的積層体ＰＷｅｂの上方からウォータミストを吹き付ける噴霧ノズル３１と予備的積層体ＰＷｅｂの下側（すなわち、パルプ繊維ウエブＰＦＷの下面）から吸引力を印加するサクション装置３２とを含んで構成されている。
【００４５】
なお、図４では、上記のように水流交絡装置５前にプレウエット装置３０を新たな装置として設ける場合を例示しているが、これに限らない。水流交絡装置５に含まれる後述するウォータジェットヘッド５１とサクション装置５２とからなるセットの複数について、先頭に位置するセットを上記プレウエット装置３０として流用するような設計変更をしてもよい。この場合には先頭のウォータジェットヘッド５１から低圧のウォータミストが噴霧されるように調整すればよい。
水流交絡処理を行うのに十分な、ウォータジェットヘッド５１とサクション装置５２とのセット数が確保されている水流交絡装置５の場合、上記のように先頭のウォータジェットヘッド５１とサクション装置５２をプレウエット装置として活用することは、装置設備コストの抑制に効果的である。
【００４６】
そして、水流交絡装置５では、前処理部となる挟持ローラ２８およびプレウエット装置３０の処理を受けた予備的積層体ＰＷｅｂに高圧のウォータジェットを吹き付けることによりパルプ繊維同士の交絡を促進する。これにより上側に位置するパルプ繊維ウエブＰＦＷ層と下側に位置するスパンボンド不織布ＳＷ層との一体化が促進される（水流交絡処理）。
図４で例示的に示している水流交絡装置５は、搬送方向ＴＤに沿って多段（図４では例示しているのは４段）にウォータジェットヘッド５１が配置されている。
なお、図４では、搬送方向ＴＤに対して直角な方向（ウエブの幅方向）において延在しているウォータジェットヘッド５１に設けたノズルの様子は図示していないが、幅方向において複数のウォータジェットノズルが適宜の位置に配置してある。このウォータジェットノズルの穴直径φは、好ましくは０．０６〜０．１５ｍｍである。また、ウォータジェットノズルの間隔は０．４〜１．０ｍｍとするのが好ましい。
【００４７】
上記水流交絡処理をする際の水圧は、パルプ繊維ウエブＰＦＷとスパンボンド不織布ＳＷとの坪量を勘案して設定するのが望ましい。例えば、１〜３０ＭＰａの範囲において選択するのが好ましい。
【００４８】
そして、上記ウォータジェットヘッド５１と対向するように、サクション装置５２が配設してある。ウォータジェットヘッド５１から出る高圧のウォータジェットを上側に位置しているパルプ繊維ウエブＰＦＷに吹き付けつつ、下側に位置しているスパンボンド不織布ＳＷの下側にサクション装置５２の吸引力を作用させる。ウォータジェットヘッド５１とサクション装置５２との協働作用によって、パルプ繊維ウエブＰＦＷ側のパルプ繊維が下側のスパンボンド不織布ＳＷに入り込んだ状態や、スパンボンド不織布ＳＷを貫通して反対側にまで至った状態などが形成されると推定される。その作用により２つの層の一体
化が促進される。
【００４９】
水流交絡装置５にも、搬送ワイヤ５５が配設してある。搬送ワイヤ５５は前処理部２８、３０の下流で予備的積層体ＰＷｅｂを受けて、水流交絡装置５内へと搬送する。搬送ワイヤ５５は水流交絡装置５のウォータジェットヘッド５１とサクション装置５２との間を、上流側から下流に向かって通過するように配設されている。
よって、搬送ワイヤ５５上を搬送される予備的積層体ＰＷｅｂは、搬送方向ＴＤで下流に向かう程に、より多くの水流交絡処理を受けることになり、水流交絡装置５を出るときには上側のパルプ繊維ウエブＰＦＷ層と下側のスパンボンド不織布ＳＷ層との十分な交絡処理が実現される。
水流交絡装置５を出た直後の不織布にあっては、ウエット状態にあり、パルプ繊維同士などの結合は十分に確立されてはいない。
【００５０】
そこで、図４で示すように、水流交絡装置５の下流側にはウエブに残留する水分を吸引除去し、その後に乾燥を行って、不織布ワイパーＷＰの製造を完了するためのサクション装置６および乾燥装置７が配備してある。このように不織布ワイパーＷＰの製造の後段で、サクション装置６および乾燥装置７による脱水、乾燥を行うと効率よく不織布を製造でき、また、製造される水流交絡後の不織布に大きな外圧を掛けることなく乾燥した不織布を製造できるので、嵩高感のある製品に仕上げることができる。
サクション装置６は、例えばバキューム式で水流交絡後の不織布を脱水する。乾燥装置７は非圧縮型のドライヤ、好適にエアスルードライヤを採用することが好ましい。図４で、エアスルードライヤの回転可能なドライヤ本体７１は筒状体であり、その周表面には多数の貫通孔が設けてあり、図示しない熱源で加熱された熱風がドライヤ本体の外周から中心部側に向かって吸い込む構成とするのがよい。
このように連続的に製造される複合型の不織布ワイパーＷＰは巻取装置８のロール８１に巻取られて一連の工程が完了する。
【００５１】
以上で説明した不織布ワイパー製造装置１によると、外観や使用感に優れると共に、十分な吸液性も備えた、本発明に係る複合型不織布ワイパーを効率良く製造することができる。
なお、図４による製造装置では、エアレイド装置２を用いて、パルプ繊維を解繊して徐々に積層することによりパルプ繊維ウエブを得ている。パルプ繊維ウエブは湿式抄紙シートの製造法を応用して製造することができるが、上記のようにエアレイド装置２を用いた乾式によりパルプ繊維ウエブを製造すると製造設備を簡素化して、より効率良く本発明に係る複合型不織布ワイパーを製造できる。
【００５２】
以上で実施形態の説明を終えるが、本発明は上記実施形態に限定されるものではなく、その要旨を逸脱しない範囲で種々変更して実施することができることは言うまでもない。
【符号の説明】
【００５３】
１          不織布ワイパー製造装置
２          エアレイド装置
３          スパンボンド不織布供給装置
４          サクション装置
５          水流交絡装置
６          サクション装置
７          乾燥装置
８          巻取装置
２１        解繊機
２２        ダクト
２３        エアレイドホッパ
２４        積層位置
２８        挟持ローラ
３０        プレウエット装置
３１        噴霧ノズル
３２        サクション装置
４１        サクション装置本体
４２        サクション部
４３        搬送ワイヤ
５１        ウォータジェットヘッド
５２        サクション装置
５５        搬送ワイヤ
ＳＷ（ＳＷ−１、ＳＷ−２、ＳＷ−３、ＳＷ−４）        スパンボンド不織布
ＭＰ（ＭＰ−１、ＭＰ−２、ＭＰ−３、ＭＰ−４）        融着点
ＰＦ        パルプ繊維
ＰＦＷ      パルプ繊維ウエブ
ＰＷｅｂ    予備的積層体（積層ウエブ）
ＷＰ        複合型不織布ワイパー
ＴＤ        搬送方向
ＭＤ        流れ方向
ＣＤ        幅方向
ＬＬ        縦方向ライン
ＴＬ        横方向ライン
ＦＤ        第１の距離
ＳＤ        第２の距離
ＴＤ        第３の距離
【図１】
2020084385.tif 000005
【図２】
2020084385.tif 000006
【図３】
2020084385.tif 000007
【図４】
2020084385.tif 000008